(57)【要約】 【課題】本発明は、工期が短く、コストを抑え、地震や地盤沈下で度重なる建物等の傾斜に対しても同様に修復することができるジャッキアップボックス及びそれを使用した建物等のジャッキアップ方法を提供する。【解決手段】本発明は、傾いた建物等を持ち上げて建物等の水平を保つためのジャッキアップボックスであって、傾いた建物等の基礎下に水平に設置される土台部と、土台部に上下にスライド可能に被せ合わされ、基礎の底面に接して設置される上枠体部と、土台部及び上枠体部で形成される箱内に設置され、上枠体部を内側から押し上げるジャッキ部とからなり、傾いた建物等の元の基礎位置より下がった基礎部分の下に設置され、ジャッキを操作して上枠体部を押し上げるとともに建物の基礎を押し上げることにより傾いた建物を水平に戻すことを特徴とするジャッキアップボックスの構成とした。【選択図】  図１
2013040534.tif 000002
【特許請求の範囲】
【請求項１】
傾いた建物等を持ち上げて建物等の水平を保つためのジャッキアップボックスであって、
前記傾いた建物等の基礎下に水平に設置される土台部と、
前記土台部に上下にスライド可能に被せ合わされ、前記基礎の底面に接して設置される上枠体部と、
前記土台部及び上枠体部で形成される箱内に設置され、前記上枠体部を内側から押し上げるジャッキ部とからなり、
前記傾いた建物等の元の基礎位置より下がった基礎部分の下に設置され、
前記ジャッキを操作して上枠体部を押し上げるとともに建物の基礎を押し上げることにより前記傾いた建物を水平に戻すことを特徴とするジャッキアップボックス。
【請求項２】
前記土台部を、略四角形の平板状をした前記ジャッキを載置するための底板と、前記底板の三辺の縁付近に各辺に垂設され前記上枠体部を被せる際のガイドとなる三枚の板と、前記底板の前記板を垂設していない残りの一辺の両端に垂設され、前記ジャッキが土台部からはみ出さないように保持するガイド棒からなる土台部とし、
前記上枠体部を、前記土台部に被せ合わせる内部が中空で側面の一辺に開口を形成した角柱状の枠体と、前記枠体の上面に設置され前記基礎の直下で基礎に接し基礎を押し上げる上面板とからなる上枠体部としたことを特徴とする請求項１に記載のジャッキアップボックス。
【請求項３】
前記ジャッキ部を、前記土台部の各板及びガイド棒内に嵌め込まれる平板状のジャッキ土台と、前記ジャッキ土台上に垂設されるジャッキと、前記ジャッキから上方に向かって出入りするスライド部と、前記スライド部の上端に設置され前記枠体の上面を内側から押し上げる押上板と、前記スライド部の上下動を制御する操作部とからなるジャッキ部としたことを特徴とする請求項２に記載のジャッキアップボックス。
【請求項４】
前記各板及びガイド棒で囲まれた底板に嵌入される下板と、前記下板上に重ね合わせて固定され、上面に四辺に突条を設けて、更に前記突条のうち前記ガイド棒に最も近い辺の突条の一部にジャッキ部を出し入れするための間隙を設けた上板からなり、前記ジャッキ部を前記土台部に固定するための取付台を設けたことを特徴とする請求項３に記載のジャッキアップボックス。
【請求項５】
傾いた建物の基礎下に請求項１乃至請求項４のいずれか１項に記載のジャッキアップボックスを設置するための設置穴を設けて、前記設置穴に前記ジャッキアップボックスを設置し、前記ジャッキアップボックスのジャッキ部を操作して前記建物を持ち上げて水平とし、前記建物の基礎下に建物の水平を保つための第一モルタルを施工し、前記第一モルタルが硬化した後、前記ジャッキアップボックスを取り出して、前記設置穴に元に戻したジャッキアップボックスを挿入可能な高さを残して第二モルタルを施工し、前記第二モルタルが硬化した後、前記第二モルタル上にシートを敷設し、ジャッキ部を取り出して元の高さに戻し開口を蓋で塞ぎ溶接したジャッキアップボックスを設置し、第三モルタルで前記設置穴の残空間を埋め硬化させてなり、前記建物の傾きを解消し、水平を維持することを特徴とする傾斜建物のジャッキアップ方法。
【請求項６】
請求項５に記載の傾斜建物のジャッキアップ方法により水平とした建物が、再度傾斜した場合の再ジャッキアップ方法であって、
前記ジャッキアップボックス下の第二モルタル及び前記シート並びに前記土台部を取り除いて上枠体部のみを残し、前記上枠体部の下に設置穴を設けて請求項１乃至請求項３のいずれかに記載の新たなジャッキアップボックスを重ねて設置し、前記新たなジャッキアップボックスのジャッキ部を操作して傾斜建物の基礎を押し上げて前記傾斜建物を水平にし、前記第一モルタルの下に建物の水平を保つための第四モルタルを施工し、前記第四モルタルが硬化した後、前記新たなジャッキアップボックスを取り出して、前記新たな設置穴に元に戻したジャッキアップボックスを挿入可能な高さを残して第五モルタルを施工し、前記第五モルタルが硬化した後、前記第五モルタル上にシートを敷設し、ジャッキ部を取り出して元の高さに戻した新たなジャッキアップボックスを設置し、最初に設置されていて残された上枠体部及び蓋の下辺と新たなジャッキアップボックスの上面板を溶接連結し、更に前記開口を塞ぐ前記蓋に注入孔を設けて最初に設置していたジャッキアップボックスの上枠体部の中にもモルタルを注入して硬化させ、全ての設置穴を第六モルタルで埋め硬化させてなり、建物の傾きを解消し、水平を維持することを特徴とするジャッキアップ方法。
【発明の詳細な説明】
【技術分野】
【０００１】
本発明は、地震や地盤沈下等などにより地盤が変形し、それにより傾斜した建物を水平に戻し、維持するためのジャッキアップボックスに関する。
【背景技術】
【０００２】
従来、地盤の変形により建物等が傾斜した場合、建物を水平に戻すには、アンダーピニング工法などの修正方法があった。
【０００３】
前記アンダーピニング工法は、建物の基礎下に支持層からの支持力を得られるまで杭を打ち込んでゆき、ジャッキで微調整をした後、スペーサーを設置して埋め戻しを行う工法であるが、複数本の杭を支持層まで圧入しなければならず、また、工事が複雑なため工期が長く、コストがかかり過ぎるという問題があった。
【０００４】
また、上記の工法以外にも建物等の傾斜を修復する方法があるが、いずれの工法も工期やコストの面で、容易に利用できるものではなく、地震の多い地域などでは傾斜を修正した後に再度建物が傾くということもあり、何度も利用できるほど低廉なものではなく、二度目、三度目となると費用を工面するのも難しく、傾斜したまま住み続けるか、転居、立て直しなどを行うこともあった。
【先行技術文献】
【特許文献】
【０００５】
【特許文献１】特開２００６−３４７６６１号公報
【発明の概要】
【発明が解決しようとする課題】
【０００６】
そこで、本発明は、工期が短く、コストを抑え、地震や地盤沈下で度重なる建物等の傾斜に対しても同様に修復することができるジャッキアップボックス及びそれを使用した建物等のジャッキアップ方法を提供する。
【課題を解決するための手段】
【０００７】
本発明は、上記の課題を解決するために、傾いた建物等を持ち上げて建物等の水平を保つためのジャッキアップボックスであって、前記傾いた建物等の基礎下に水平に設置される土台部と、前記土台部に上下にスライド可能に被せ合わされ、前記基礎の底面に接して設置される上枠体部と、前記土台部及び上枠体部で形成される箱内に設置され、前記上枠体部を内側から押し上げるジャッキ部とからなり、前記傾いた建物等の元の基礎位置より下がった基礎部分の下に設置され、前記ジャッキを操作して上枠体部を押し上げるとともに建物の基礎を押し上げることにより前記傾いた建物を水平に戻すことを特徴とするジャッキアップボックスの構成とした。
【０００８】
また、前記土台部を、略四角形の平板状をした前記ジャッキを載置するための底板２ａと、前記底板２ａの三辺の縁付近に各辺に垂設され前記上枠体部を被せる際のガイドとなる三枚の板（２ｂ、２ｃ、２ｄ）と、前記底板２ａの前記板を垂設していない残りの一辺の両端に垂設され、前記ジャッキが土台部からはみ出さないように保持するガイド棒２ｅ、２ｅからなる土台部とし、前記上枠体部を、前記土台部に被せ合わせる内部が中空で側面の一辺に開口を形成した角柱状の枠体３ｂと、前記枠体３ｂの上面に設置され前記基礎の直下で基礎に接し基礎を押し上げる上面板３ａとからなる上枠体部としたことを特徴とするジャッキアップボックスの構成とした。
【０００９】
また、前記ジャッキ部を、前記土台部の各板２ｂ、２ｃ、２ｄ及びガイド棒２ｅ、２ｅ内に嵌め込まれる平板状のジャッキ土台５ｅと、前記ジャッキ土台５ｅ上に垂設されるジャッキ５ａと、前記ジャッキ５ａから上方に向かって出入りするスライド部５ｂと、前記スライド部５ｂの上端に設置され前記枠体３ｂの上面を内側から押し上げる押上板５ｃと、前記スライド部５ｂの上下動を制御する操作部５ｄとからなるジャッキ部としたことを特徴とするジャッキアップボックスの構成とした。
【００１０】
また、前記各板２ｂ、２ｃ、２ｄ及びガイド棒２ｅで囲まれた底板２ａに嵌入される下板４ｂと、前記下板４ｂ上に重ね合わせて固定され、上面に四辺に突条４ｃを設けて、更に前記突条４ｃのうち前記ガイド棒２ｅ、２ｅに最も近い辺の突条の一部にジャッキ部５を出し入れするための間隙４ｄを設けた上板４ａからなり、前記ジャッキ部５を前記土台部２に固定するための取付台４を設けたことを特徴とするジャッキアップボックスの構成とした。
【００１１】
更に、傾いた建物７の基礎７ａ下に前記何れかのジャッキアップボックス１を設置するための設置穴８ａを設けて、前記設置穴８ａに前記ジャッキアップボックスを設置し、  前記ジャッキアップボックスのジャッキ部を操作して前記建物７を持ち上げて水平とし、前記建物７の基礎下に建物の水平を保つための第一モルタル９を施工し、前記第一モルタル９が硬化した後、前記ジャッキアップボックスを取り出して、前記設置穴に元に戻したジャッキアップボックスを挿入可能な高さを残して第二モルタル９ａを施工し、前記第二モルタル９ａが硬化した後、前記第二モルタル９ａ上にシート１０を敷設し、ジャッキ部５を取り出して元の高さに戻し開口３ｃを板で塞ぎ溶接したジャッキアップボックスを設置し、第三モルタル９ｂで前記設置穴８ａの残空間を埋め硬化させてなり、前記建物の傾きを解消し、水平を維持することを特徴とする傾斜建物のジャッキアップ方法の構成とした。
【００１２】
加えて、前記傾斜建物のジャッキアップ方法により水平とした建物が、再度傾斜した場合の再ジャッキアップ方法であって、前記ジャッキアップボックス下の第二モルタル９ａ及び前記シート１０並びに前記土台部２を取り除いて上枠体部３のみを残し、前記上枠体部３の下に設置穴を設けて前記いずれかの構成の新たなジャッキアップボックスを重ねて設置し、前記新たなジャッキアップボックスのジャッキ部を操作して傾斜建物の基礎を押し上げて前記傾斜建物を水平にし、前記第一モルタル９の下に建物の水平を保つための第四モルタル１２を施工し、前記第四モルタル１２が硬化した後、前記新たなジャッキアップボックスを取り出して、前記新たな設置穴に元に戻したジャッキアップボックスを挿入可能な高さを残して第五モルタル１２ａを施工し、前記第五モルタル１２ａが硬化した後、前記第五モルタル１２ａ上にシート１０を敷設し、ジャッキ部５を取り出して元の高さに戻した新たなジャッキアップボックスを設置し、最初に設置されていて残された上枠体部３及び蓋３ｄの下辺と新たなジャッキアップボックス１の上面板３ａを溶接連結し、更に前記開口を塞ぐ前記蓋に注入孔を設けて最初に設置していたジャッキアップボックスの上枠体部３の中にもモルタルを注入して硬化させ、全ての設置穴を第六モルタル１２ｂで埋め硬化させてなり、建物の傾きを解消し、水平を維持することを特徴とするジャッキアップ方法の構成とした。
【発明の効果】
【００１３】
本発明は上記のような構成であるため、従来よりも短い工期でコストを抑えて傾斜建物を修復することができる。
【００１４】
また、本発明で傾斜建物の傾斜を解消した後、更なる地震や地盤沈下で建物が傾斜した場合であっても、初回の作業と同様に短い工期でコストを抑えて傾斜建物を修復することができる。
【図面の簡単な説明】
【００１５】
【図１】本発明であるジャッキアップボックスの斜視分解図である。
【図２】本発明であるジャッキアップボックスの土台部の斜視図である。
【図３】本発明であるジャッキアップボックスの上枠体部の斜視図である。
【図４】本発明であるジャッキアップボックスの取付台の斜視図である。
【図５】本発明であるジャッキアップボックスのジャッキ部の斜視図である。
【図６】本発明であるジャッキアップボックスを使用した傾斜建物のジャッキアップ手順を示す図である。
【図７】本発明であるジャッキアップボックスを使用した傾斜建物のジャッキアップ手順を示す図である。
【図８】本発明であるジャッキアップボックスを使用した傾斜建物のジャッキアップ手順を示す図である。
【図９】本発明であるジャッキアップボックスを使用した傾斜建物のジャッキアップ手順を示す図である。
【図１０】本発明であるジャッキアップボックスを使用した傾斜建物のジャッキアップ手順を示す図である。
【図１１】本発明であるジャッキアップボックスを使用して傾斜建物をジャッキアップした後、地盤沈下等で再度傾斜した建物をジャッキアップする手順を示す図である。
【図１２】本発明であるジャッキアップボックスを使用して傾斜建物をジャッキアップした後、地盤沈下等で再度傾斜した建物をジャッキアップする手順を示す図である。
【図１３】本発明であるジャッキアップボックスを使用して傾斜建物をジャッキアップした後、地盤沈下等で再度傾斜した建物をジャッキアップする手順を示す図である。
【図１４】本発明であるジャッキアップボックスを使用して傾斜建物をジャッキアップした後、地盤沈下等で再度傾斜した建物をジャッキアップする手順を示す図である。
【図１５】本発明であるジャッキアップボックスを二段以上重ねて使用する際の手順を示した図である。
【図１６】本発明であるジャッキアップボックスを二段以上重ねて使用する際の手順を示した図である。
【発明を実施するための形態】
【００１６】
以下、添付の図面を参照し、本発明の実施の形態について詳細に説明する。
【実施例１】
【００１７】
図１は本発明であるジャッキアップボックスの斜視分解図、図２はジャッキアップボックスの土台部の斜視図、図３はジャッキアップボックスの上枠体部の斜視図、図４はジャッキアップボックスの取付台の斜視図、図５はジャッキアップボックスのジャッキ部の斜視図である。
【００１８】
図１に示すように、本発明であるジャッキアップボックス１は、傾いた建物等を持ち上げて建物等の水平を保つためのジャッキアップボックスであって、前記傾いた建物等の基礎下に水平に設置される土台部２と、前記土台部２に上下にスライド可能に被せ合わされ、前記基礎の底面に接して設置される上枠体部３と、前記土台部２及び上枠体部３で形成される箱内に設置され、前記上枠体部３を内側から押し上げるジャッキ部５とからなり、前記傾いた建物等の元の基礎位置より下がった基礎部分の下に設置され、前記ジャッキ部５を操作して上枠体部３を押し上げるとともに建物の基礎を押し上げることにより前記傾いた建物を水平に戻すことを特徴とする。
【００１９】
図２に示すように、前記土台部２は、略四角形の平板状をした前記ジャッキ部５を載置するための底板２ａと、前記底板２ａの三辺の縁付近に各辺に垂設され前記上枠体部３を被せる際のガイドとなる三枚の板（左板２ｂ、右板２ｃ、背面板２ｄ）と、前記底板２ａの前記板（２ｂ、２ｃ、２ｄ）を垂設していない残りの一辺の両端に垂設され、前記ジャッキ部５が土台部２からはみ出さないように保持するガイド棒２ｅ、２ｅからなる。前記板（２ｂ、２ｃ、２ｄ）はそれぞれ独立しており、被せ合わされる前記上枠体部３と土台部２の底板２ａが平行ではない状態、即ち、建物の基礎の底面と本発明を設置する地面が平行ではない場合であっても、前記上枠体部３の上面板３ａが上面板３ａ全面を使用して基礎の底面をしっかり支えることが出来るよう、上枠体部３をガイドする役割をしている。
【００２０】
図３に示すように、前記上枠体部３は、前記土台部２に被せ合わせる内部が中空で側面の一辺に開口３ｃを形成した角柱状の枠体３ｂと、前記枠体３ｂの上面に設置され前記基礎の直下で基礎に接し基礎を押し上げる上面板３ａとからなる。
【００２１】
図１及び図４に示すように、前記ジャッキ部５を土台部２に設置するには取付台４を設けてもよい。前記取付台４は、前記各板２ｂ、２ｃ、２ｄ及びガイド棒２ｅで囲まれた底板２ａに嵌入される下板４ｂと、前記下板４ｂ上に重ね合わせて固定され、上面に四辺に突条４ｃを設けて、更に前記突条４ｃのうち前記ガイド棒２ｅ、２ｅに最も近い辺の突条の一部にジャッキ部５を出し入れするための間隙４ｄを設けた上板４ａからなる。
【００２２】
図５に示すように、前記ジャッキ部５を、前記土台部２の各板２ｂ、２ｃ、２ｄ及びガイド棒２ｅ、２ｅ内に嵌め込まれる平板状のジャッキ土台５ｅと、前記ジャッキ土台５ｅ上に垂設されるジャッキ５ａと、前記ジャッキ５ａから上方に向かって出入りするスライド部５ｂと、前記スライド部５ｂの上端に設置され前記枠体３ｂの上面を内側から押し上げる押上板５ｃと、前記スライド部５ｂの上下動を制御する操作部５ｄとからなる。前記操作部５ｄには操作棒５ｆを挿通し、操作棒５ｆを上下に動かすことにより前記スライド部５ｂが上昇する。
【００２３】
図１に示すように、前記土台部２と上枠体部３を重ね合わせる際には、土台部２のガイド棒２ｅ、２ｅを形成した面と上枠体部３の開口３ｃを形成した面の位置を合わせてかぶせ合わせる。このように合わせることにより、前記開口３ｃから前記ジャッキ部５を出し入れすることができる。
【００２４】
従って、ジャッキ部５の押上板５ｃの幅及びジャッキ土台５ｅの幅は開口３ｃの幅よりも小さく、ジャッキ５ａを最も縮めた状態の高さは前記開口３ｃの高さよりも小さい。
【００２５】
尚、実際に本発明であるジャッキアップボックス１を使用する際には、図１に示すように土台部２の下に四角形状の板６を設置することが好ましい。但し、前記板６は必須のものではなく、必ずしも使用しなければならないものではない。
【実施例２】
【００２６】
図６から図１０は本発明であるジャッキアップボックスを使用した傾斜建物のジャッキアップ手順を示す図である。
【００２７】
図６から図１０に示すように、本発明であるジャッキアップボックス１を使用した傾斜建物をジャッキアップするには、まず、傾いた建物７の基礎７ａ下に前記のいずれかのジャッキアップボックス１を設置するための設置穴８ａを設けて、前記設置穴８ａに前記ジャッキアップボックスを設置する。尚、建物７の脇に設けた穴は作業穴８ｂである。
【００２８】
尚、ジャッキアップボックス１を設置する位置については、建物７の基礎のうち、基の基礎位置から下がった箇所、若しくは建物周囲の地面よりも下がった箇所に設けるが、この位置については、建物の傾斜状況や周囲の地形等により様々である。
【００２９】
次に、図７に示すように、前記ジャッキアップボックス１のジャッキ部５を操作して前記建物７を持ち上げて水平とし、前記建物７の基礎７ａ下に建物７の水平を保つための第一モルタル９を施工する。
【００３０】
前記第一モルタル９が硬化すると、前記建物７の水平が一時的に保たれるので、前記ジャッキアップボックス１を取り出して、図８に示すように、前記設置穴８ａに元に戻したジャッキアップボックスを挿入可能な高さを残して第二モルタル９ａを施工する。
【００３１】
そして、前記第二モルタル９ａが硬化した後、前記第二モルタル９ａ上にシート１０を敷設し、ジャッキ部５を取り出して元の高さに戻し開口３ｃを蓋３ｄで塞ぎ溶接３ｅしたジャッキアップボックス（前記箱）を設置し、図９に示すように、第三モルタル９ｂで前記設置穴８ａの残空間を埋め硬化させる。
【００３２】
最後に図１０に示すように、建物の周囲に設けていた作業穴８ｂを埋め戻し、作業が完了する。
【実施例３】
【００３３】
次に、図１１から図１４を使用して、建物等が再度傾斜した場合の本発明を使用した修復方法を説明する。
【００３４】
図１１から図１４は本発明であるジャッキアップボックスを使用して傾斜建物をジャッキアップした後、地盤沈下等で再度傾斜した建物をジャッキアップする手順を示す図である。
【００３５】
図１１に示すように、本発明であるジャッキアップボックス１を使用して、以前に建物の傾斜を修正していたが、その後の地震や地盤沈下等により再度建物が傾いている。
【００３６】
先ず、図１２に示すように、前記ジャッキアップボックス１下の第二モルタル９ａ及び前記シート１０並びに前記土台部２を取り除いて上枠体部３のみを残し、前記上枠体部３の下に設置穴を設けて新たなジャッキアップボックスを重ねて設置する。
【００３７】
そして、前記新たなジャッキアップボックス１のジャッキ部５を操作して傾斜建物７の基礎７ａを押し上げて前記傾斜建物７を水平にし、前記第一モルタル９の下に建物７の水平を保つための第四モルタル１２を施工する。
【００３８】
次に、図１３に示すように、
前記第四モルタル１２が硬化した後、前記新たなジャッキアップボックス１を取り出して、前記新たな設置穴８ａに元に戻したジャッキアップボックス１を挿入可能な高さを残して第五モルタル１２ａを施工する。
【００３９】
前記第五モルタル１２ａが硬化した後、前記第五モルタル１２ａ上にシート１０を敷設し、ジャッキ部５を取り出して元の高さに戻した新たなジャッキアップボックス１（箱）を設置し、最初に設置されていて残された上枠体部３及び蓋３ｄの下辺と新たなジャッキアップボックス１の上面板３ａを溶接連結し、更に前記開口を塞ぐ前記蓋に注入孔を設けて最初に設置していたジャッキアップボックスの上枠体部３の中にもモルタルを注入して硬化させ、図１４に示すように全ての設置穴を第六モルタル１２ｂで埋め硬化させる。
【００４０】
最後に、図１４に示すように、作業穴を埋め戻し８ｃ、作業が完了する。
【実施例４】
【００４１】
図１５及び図１６は本発明であるジャッキアップボックスを二段以上重ねて使用する際の手順を示した図である。
【００４２】
図１５に示すように、実施例３のように既にジャッキアップボックス１で建物の傾斜を修復しており、地震等により再度建物が傾いた場合、以前のジャッキアップボックス１が基礎下に存在している。
【００４３】
まず、図１５の（Ａ）に示すように、以前のジャッキアップボックス１（箱）から、土台部２を抜き去り、上枠体部３のみを残す。
【００４４】
次に、図１５（Ｂ）に示すように、残された前記上枠体部３の下に新たな上枠体部３を設置し、残された上枠体部３及び蓋３ｄの下辺と新たな上枠体部３の上面板３ａをしっかりと隙間無く溶接３ｇする。
【００４５】
そして、新たな上枠体部３の下方から先ほど抜き去った土台部２を挿入し、ジャッキアップボックス１（箱）を形成する。
【００４６】
次に、図１６（Ａ）に示すように、新たに形成されたジャッキアップボックス１（箱）内に、ジャッキ部５を設置して操作し、以前の上枠体部３及び基礎７ａを押上げ、建物７の傾斜を解消し、前述のモルタル等の施工を行う。
【００４７】
以前の上枠体部３及びジャッキ部５を取り去った新たなジャッキアップボックス１（箱）をモルタルで埋める前に、以前の上枠体部３に注入孔３ｆを形成し、以前の上枠体部３内にモルタルを注入し、最後に以前の上枠体部３及び新たなジャッキアップボックス１（箱）ごと設置穴８ａをモルタルで埋める。
【００４８】
以上のように、本発明であるジャッキアップボックス１を一段で埋める場合には、土台部２と上枠体部３で箱を形成した状態で埋めるが、ジャッキアップボックス１を二段以上とする場合は、上側のジャッキアップボックス１（箱）は、上枠体部３のみを残して、下に重ねられる上枠体部３と溶接接続し、最も下となる上枠体部３にのみ土台部２が嵌入される。
【００４９】
従って、上枠体部３が他の上枠体部３の上側に位置する場合は、内部にモルタルが充填されて、建物を支えるモルタルの一部となる。
【産業上の利用可能性】
【００５０】
本発明であるジャッキアップボックス及びそれを使用した建物等のジャッキアップ方法は、工期が短く、コストも抑えることができ、傾斜の修復後にも重ねて同様の修復作業をすることができるため、地震の多い地域や従来の方法を利用することができなかった人々に多大な貢献をもたらす。
【符号の説明】
【００５１】
１      ジャッキアップボックス
２      土台部
２ａ    底板
２ｂ    左板
２ｃ    右板
２ｄ    背面板
２ｅ    ガイド棒
３      上枠体部
３ａ    上面板
３ｂ    枠体
３ｃ    開口
３ｄ    蓋
３ｅ    溶接
３ｆ    注入孔
３ｇ    溶接
４      取付台
４ａ    上板
４ｂ    下板
４ｃ    突条
４ｄ    間隙
５      ジャッキ部
５ａ    ジャッキ
５ｂ    スライド部
５ｃ    押上板
５ｄ    操作部
５ｅ    ジャッキ土台
５ｆ    操作棒
６      板
７      建物
７ａ    基礎
８      地面
８ａ    設置穴
８ｂ    作業穴
８ｃ    埋め戻し
９      第一モルタル
９ａ    第二モルタル
９ｂ    第三モルタル
１０    シート
１１    枠
１２    第四モルタル
１２ａ  第五モルタル
１２ｂ  第六モルタル
【図１】
2013040534.tif 000003
【図２】
2013040534.tif 000004
【図３】
2013040534.tif 000005
【図４】
2013040534.tif 000006
【図５】
2013040534.tif 000007
【図６】
2013040534.tif 000008
【図７】
2013040534.tif 000009
【図８】
2013040534.tif 000010
【図９】
2013040534.tif 000011
【図１０】
2013040534.tif 000012
【図１１】
2013040534.tif 000013
【図１２】
2013040534.tif 000014
【図１３】
2013040534.tif 000015
【図１４】
2013040534.tif 000016
【図１５】
2013040534.tif 000017
【図１６】
2013040534.tif 000018